(57)【要約】 【課題】  簡易な構成により高いリハビリ効果を得ることができるリハビリ用手袋を提供する。【解決手段】  複数の指挿入部１２を有する手袋本体１０と、手袋本体１０を前腕６０に装着する装着具２０と、手袋本体１０の甲側において各指挿入部１２に沿ってそれぞれ設けられた可撓性の筒状体３０と、筒状体３０に挿通されて指先側となる一端部が筒状体３０の端部に係止される紐状体４０と、紐状体４０の他端側に張力を付与する張力付与機構５０とを備えるリハビリ用手袋１。【選択図】  図１
2012176083.tif 000002
【特許請求の範囲】
【請求項１】
複数の指挿入部を有する手袋本体と、
前記手袋本体を前腕に装着する装着具と、
前記手袋本体の甲側において前記各指挿入部に沿ってそれぞれ設けられた可撓性の筒状体と、
前記筒状体に挿通されて指先側となる一端部が前記筒状体の端部に係止される紐状体と、
前記紐状体の他端側に張力を付与する張力付与機構とを備えるリハビリ用手袋。
【請求項２】
前記装着具は、前腕に巻き付け可能なベルト状に形成されており、
前記筒状体は、前記指挿入部の指先から前記装着具まで延びるように設けられている請求項１に記載のリハビリ用手袋。
【請求項３】
前記筒状体は、指の付け根および手首に対応する箇所でそれぞれ分断されている請求項２に記載のリハビリ用手袋。
【請求項４】
前記紐状体は、第１の紐体と、前記第１の紐体よりも高伸縮性の第２の紐体とを備え、第１の紐体および第２の紐体が互いに分離されて前記筒状体に収容されており、
前記第１の紐体は、手首に対応する箇所を覆うように配置され、一端部が固定された状態で、他端部が前記張力付与機構により巻き取り可能とされており、
前記第２の紐体は、指の付け根に対応する箇所を覆うように配置され、両端部が前記筒状体に固定される請求項１から３のいずれかに記載のリハビリ用手袋。
【請求項５】
前記手袋本体は、手の平の大部分が露出するように切欠部が形成されている請求項１から４のいずれかに記載のリハビリ用手袋。
【発明の詳細な説明】
【技術分野】
【０００１】
本発明は、リハビリ用手袋に関し、より詳しくは、手首関節や手の指関節の動きを補助するためのリハビリ用手袋に関する。
に関する。
【背景技術】
【０００２】
脳梗塞等の病気や骨折等の怪我によって拘縮した手首関節や指関節等の機能を回復させるために、従来から種々のリハビリ装置・器具が提案されている。例えば、特許文献１には、使用者の手の動きをセンサで検知して、駆動モータの制御により食事などの作業を補助することができる上肢動作補助装置が開示されている。ところが、このような装置は構成が大がかりで高コストなものとなり、手軽に使用するには不向きであった。
【０００３】
一方、電気等の動力を使用しないリハビリ用具としては、特許文献２に開示されているように、手の指の間に介装される介装部と、介装部の間に架設された架設部とを備える手袋形の構成が知られている。この構成によれば、介装部と架設部との間に指を挿入する等して指の折り曲げのリハビリを行うことができるが、手首にバンドで固定されるために手首のリハビリ効果が生じず、また指を伸ばすことが困難な使用者にとっても、リハビリ効果を得にくいという問題があった。
【先行技術文献】
【特許文献】
【０００４】
【特許文献１】特開平１１−２５３５０４号公報
【特許文献２】登録実用新案第３１３２９４４号公報
【発明の概要】
【発明が解決しようとする課題】
【０００５】
そこで、本発明は、簡易な構成により高いリハビリ効果を得ることができるリハビリ用手袋の提供を目的とする。
【課題を解決するための手段】
【０００６】
本発明の前記目的は、複数の指挿入部を有する手袋本体と、前記手袋本体を前腕に装着する装着具と、前記手袋本体の甲側において前記各指挿入部に沿ってそれぞれ設けられた可撓性の筒状体と、前記筒状体に挿通されて指先側となる一端部が前記筒状体の端部に係止されるワイヤと、前記ワイヤの他端側に張力を付与する張力付与機構とを備えるリハビリ用手袋により達成される。
【０００７】
このリハビリ用手袋において、前記装着具は、前腕に巻き付け可能なベルト状に形成されていることが好ましく、前記筒状体は、前記指挿入部の指先から前記装着具まで延びるように設けられていることが好ましい。この構成において、前記筒状体は、指の付け根および手首に対応する箇所でそれぞれ分断されていることが好ましい。
【０００８】
また、前記紐状体は、第１の紐体と、前記第１の紐体よりも高伸縮性の第２の紐体とを備え、第１の紐体および第２の紐体が互いに分離されて前記筒状体に収容された構成にすることが可能である。前記第１の紐体は、手首に対応する箇所を覆うように配置され、一端部が固定された状態で、他端部が前記張力付与機構により巻き取り可能とし、前記第２の紐体は、指の付け根に対応する箇所を覆うように配置され、両端部が前記筒状体内に固定されるように構成することができる。
【発明の効果】
【０００９】
本発明によれば、簡易な構成により高いリハビリ効果を得ることができるリハビリ用手袋を提供することができる。
【図面の簡単な説明】
【００１０】
【図１】本発明の一実施形態に係るリハビリ用手袋の正面図である。
【図２】図１に示すリハビリ用手袋の裏面図である。
【図３】図１のＡ−Ａ断面図である。
【図４】本発明の他の実施形態に係るリハビリ用手袋の正面図である。
【発明を実施するための形態】
【００１１】
以下、本発明の実施の形態について、添付図面を参照して説明する。図１は、本発明の一実施形態に係るリハビリ用手袋の正面図であり、図２は、図１に示すリハビリ用手袋の裏面図である。図１および図２に示すように、リハビリ用手袋１は、手袋本体１０、装着具２０、筒状体３０、紐状体４０および張力付与機構５０を備えている。
【００１２】
手袋本体１０は、指を個別に挿入することができる複数の指挿入部１２を備えており、装着時に端部が前腕６０まで延びるように形成されている。手袋本体１０の裏面側には、手の平の大部分（例えば８０％以上）が露出するように切欠部１４が形成されている。手袋本体１０は、例えば、綿や合成繊維などからなる編み手袋や、皮手袋などから形成することができ、指挿入部１２の表面に天然ゴムや塩化ビニルなどの被覆材１６を施して補強することが好ましい。
【００１３】
装着具２０は、前腕６０に巻き付け可能となるように手袋本体１０の端部に設けられた革ベルト等からなるメインベルト２２ａおよび受け部２４ａを備えており、メインベルト２２ａと受け部２４ａとが重なり合う部分に面ファスナーやスナップ等の留め具２６ａが設けられている。メインベルト２２ａおよび受け部２４ａは、前腕６０の太さに応じて留め具２６ａによる取付位置を適宜選択することにより、手袋本体１０の端部を前腕６０に固定することができる。また、本実施形態の装着具２０は、使用者の手首に巻き付けることができるサブベルト２２ｂおよび受け部２４ｂを付加的要素として備えており、サブベルト２２ｂおよび受け部２４ｂを重複させて留め具２６ｂにより取り付けることで、手袋本体１０を前腕および手首の２か所に装着することができる。
【００１４】
筒状体３０は、図１に示すように、手袋本体１０の甲側において、各指挿入部１２に沿ってそれぞれ設けられている。筒状体３０は、樹脂やゴム等から形成された可撓性部材であり、両端に開口を有している。筒状体３０は、指挿入部１２に沿ってそれぞれ設けられおり、本実施形態のように指挿入部１２の指先からメインベルト２２ａまで延びるように形成されていることが好ましい。筒状体３０は、指の付け根に対応する分断部３１、および、手首に対応する分断部３２で、それぞれ分断されている。手袋本体１０への筒状体３０の取り付けは、筒状体３０の全体を手袋本体１０に接着するようにしてもよく、或いは、図３に断面図で示すように、筒状体３０を覆う保持具３４を指挿入部１２に沿って複数配置することにより行ってもよい。
【００１５】
紐状体４０は、本実施形態ではワイヤを使用しており、筒状体３０の内壁との間に隙間をもって筒状体３０に挿通されている。指挿入部１２の指先側に位置する紐状体４０の一端側には、筒状体３０の端部と当接可能な抜止部４２が設けられている。紐状体４０は、張力作用時に均一な張力を維持できるように、ある程度の伸縮性を有することが好ましい。紐状体４０は、ワイヤの代わりに、例えばゴム紐や太糸などを使用することもでき、更にはワイヤとゴム紐など２種以上のものを連結したものを使用することもできる。
【００１６】
張力付与機構５０は、各紐状体４０に対応してメインベルト２２ａの表面に配置された把持部５２および巻取軸５４を備えており、把持部５２および巻取軸５４にそれぞれ連結されたウォームおよびホイール（いずれも図示せず）が噛合するように構成されている。巻取軸５４には、紐状体４０の他端側が巻き付けられており、把持部５２の正逆回転によって紐状体４０の巻き取りや巻き戻しを行うことで、紐状体４０の張力を適宜調整することができる。張力付与機構５０の構成は、必ずしも本実施形態のものに限定されず、紐状体４０に張力を付与すると共に、張力を一定に維持可能な他の公知の構成であってもよい。
【００１７】
上記の構成を備えるリハビリ用手袋１によれば、使用者の手に手袋本体１０を装着し、装着具２０で前腕６０に固定した後、張力付与機構５０の把持部５２を紐状体４０毎に個別に操作することで、拘縮した手首およびそれぞれの指を、それぞれに応じた適度な力で伸ばすことができると共に、リハビリ用手袋１を装着した状態で種々のものを把持する訓練を行うことができるので、高いリハビリ効果を得ることができる。
【００１８】
また、紐状体４０が、指挿入部１２に沿って設けられた筒状体３０に挿通されているので、紐状体４０の張力によって指挿入部１２に生じる力を、指を伸ばす方向に確実に作用させることができる。特に、筒状体３０を、指挿入部１２の指先から前腕６０に装着された装着具２０のメインベルト２２ａまで延びるように構成することで、手首やそれぞれの指に安定した力を作用させることができる。この構成においては、本実施形態のように筒状体３０に分断部３１，３２を形成することが好ましく、これによって使用者の手の動きを不要に拘束することを防止することができる。
【００１９】
各筒状体３０に挿通される紐状体４０は、必ずしも１本である必要はなく、２種以上のものを分離して使用することもできる。例えば、図４に示すように、ワイヤからなる第１の紐体４０ａを手首に対応する箇所を覆うように配置し、ゴム紐からなる第２の紐体４０ｂを指の付け根に対応する箇所を覆うように配置して、互いに分離された第１の紐体４０ａおよび第２の紐体４０ｂによって紐状体４０を構成してもよい。図４において、図１と同様の構成部分には同一の符号を付している。
【００２０】
第１の紐体４０ａは、一端側に抜止部４２ａが設けられ、抜止部４２ａが筒状体３０の分断部３１の端部に係止されるように構成されており、他端側が張力付与機構５０により巻き取り可能に構成されている。また、第２の紐体４０ｂは、両端に抜止部４２ｂ，４２ｂが設けられており、それぞれ筒状体３０の端部および分断部３２の端部に係止されるように構成されている。第１の紐体４０ａおよび第２の紐体４０ｂの材質は特に限定されないが、第２の紐体４０ｂは、第１の紐体４０ａよりも高伸縮性であることが好ましい。また、本実施形態では、第１の紐体４０ａの一端部および第２の紐体４０ｂの両端部を、抜止部により係止させて筒状体３０に固定しているが、筒状体３０の内部で固定するように構成してもよい。
【００２１】
図４に示す構成によれば、把持部５２の操作によって、第１の紐体４０ａの一端部が固定された状態で他端部を巻き取ることができるので、手首を伸ばすように第１の紐体４０ａに張力を作用させることができ、手首のリハビリ効果を得ることができる。また、第２の紐体４０ｂは両端部が固定されるので、第２の紐体４０ｂ自体の伸縮性によって、指のリハビリ効果を得ることができる。
【００２２】
また、本実施形態においては、手の平の大部分を露出させる切欠部１４が手袋本体１０に形成されているので、拘縮状態の指を指挿入部１２へ容易に挿入することができると共に、手の平の汗を蒸発し易くして不快感を解消することができる。
【符号の説明】
【００２３】
１  リハビリ用手袋
１０  手袋本体
１２  指挿入部
１４  切欠部
２０  装着具
３０  筒状体
４０  紐状体
４２  抜止部
５０  張力付与機構
５２  把持部
５４  巻取軸
６０  前腕
【図１】
2012176083.tif 000003
【図２】
2012176083.tif 000004
【図３】
2012176083.tif 000005
【図４】
2012176083.tif 000006